(57)【要約】【課題】内容器の取り替え作業を容易に行うことができるとともに、低コストで製造することができる二重容器を提供する。【解決手段】取出筒部２３が立設されるとともに内部に内容物が充填された内容器２０と、この内容器２０が内部に収容された外装容器１０と、前記内容物を外部へ吐出する吐出部４０及び吐出部４０を外装容器１０に取り付けるキャップ部３２を備えた吐出ユニット３０とを備えた二重容器であって、吐出ユニット３０には、取出筒部２３を、その外周面との間に隙間を設けた状態で収容可能な収容部３６が設けられていることを特徴とする。【選択図】図１
2008007160.tif 000002
【特許請求の範囲】
【請求項１】
取出筒部が立設されるとともに内部に内容物が充填された内容器と、この内容器が内部に収容された外装容器と、前記内容物を外部へ吐出する吐出部及び該吐出部を前記外装容器に取り付けるキャップ部を備えた吐出ユニットとを備えた二重容器であって、
前記吐出ユニットには、前記取出筒部を、その外周面との間に隙間を設けた状態で収容可能な収容部が設けられていることを特徴とする二重容器。
【請求項２】
請求項１に記載の二重容器において、
前記吐出ユニットは、前記吐出部と前記キャップ部とが分離可能に構成されていることを特徴とする二重容器。
【請求項３】
請求項１又は請求項２に記載の二重容器において、
前記内容器及び前記外装容器の一方に、他方に向けて突出した係合凸部が形成され、前記内容器及び前記外装容器の他方に、前記係合凸部が係合可能な係合凹部が形成されていることを特徴とする二重容器。
【発明の詳細な説明】
【技術分野】
【０００１】
本発明は、外装容器と、この外装容器の中に取り替え自在に収容される内容器とを備えた二重容器に関するものである。
【背景技術】
【０００２】
この種の二重容器として、例えば特許文献１又は特許文献２に示されるように、内容物が充填された内容器と、この内容器が開口部から内部に収容された外装容器と、前記内容物を外部へ吐出する吐出部を備えたものが提案されている。ここで、前記内容器には、上方に突出する取出筒部が備えられていて、前記吐出部は、この取出筒部に螺着されたり嵌合されたりして固定されており、外装容器の開口部にはキャップが被着されている。
【０００３】
この構成の二重容器においては、内容器に充填されていた内容物を使い切ったときには、内容物が充填されている新たな内容器に取り替えることにより、外装容器と吐出部とを再利用することができる。
【特許文献１】特開２００３−１８０４４５号公報
【特許文献２】特開２００４−３０７０４８号公報
【発明の開示】
【発明が解決しようとする課題】
【０００４】
ところで、内容物が充填されている新たな内容器には、通常、前記取出筒部を閉塞する保護キャップが螺着されており、内容器を取り替える際には、保護キャップを取り外して前記吐出部を取出筒部に固定するとともに外装容器にキャップを被着することになり、消費者にとって煩わしい作業であった。
また、取出筒部に吐出部を取り付けるために取出筒部や吐出部を寸法精度良く成形する必要があり、この二重容器の製造コストが上昇してしまうといった問題があった。
さらに、内容器として、例えば合成樹脂やアルミシート材等で構成された可撓性を有する薄肉容器が使用されることがあるが、この場合、取出筒部に吐出部を固定しようとして内容器を把持した際に変形してしまい、一層取り扱いが困難となってしまう。
【０００５】
本発明は、前述した事情に鑑みてなされたものであって、内容器の取り替え作業を容易に行うことができるとともに、比較的低コストで製造することができる二重容器を提供することを目的とする。
【課題を解決するための手段】
【０００６】
この課題を解決するために、本発明の二重容器は、取出筒部が立設されるとともに内部に内容物が充填された内容器と、この内容器が内部に収容された外装容器と、前記内容物を外部へ吐出する吐出部及び該吐出部を前記外装容器に取り付けるキャップ部を備えた吐出ユニットとを備えた二重容器であって、前記吐出ユニットには、前記取出筒部を、その外周面との間に隙間を設けた状態で収容可能な収容部が設けられていることを特徴としている。
【０００７】
この構成の二重容器においては、前記内容物を外部へ吐出する吐出部及び該吐出部を前記外装容器に取り付けるキャップ部を備えた吐出ユニットが外装容器に被着されるとともに、内容器の取出筒部が吐出ユニットの収容部に収容される構成とされているので、内容器を取り替える際に、取出筒部に吐出部を直接嵌合させたり螺着させたりする必要がなく、キャップ部を外装容器に被着させるのみで吐出ユニットを装着することができる。したがって、内容器の取り替え作業を容易に行うことができる。
さらに、前記取出筒部が、その外周面との間に隙間を設けた状態で収容部に収容されているので、この吐出ユニットを外装容器に被着させる際に大きな力が不要となる。
また、前記取出筒部に嵌合させたり螺着させたりする部材がないので、取出筒部や吐出部を必要以上に精度良く成形する必要がなく、この二重容器を比較的低コストで製造することができる。
【０００８】
ここで、前記吐出ユニットを、前記吐出部と前記キャップ部とに分離可能に構成しても良い。
この場合、内容物の使用方法に合わせて吐出部の構造や形状を変更することができ、この二重容器の取り扱い性が向上する。また、例えば吐出部に詰まり等のトラブルが発生した場合に吐出部のみを交換して再使用することができる。
【０００９】
また、前記内容器及び前記外装容器の一方に、他方に向けて突出した係合凸部を形成し、前記内容器及び前記外装容器の他方に、前記係合凸部が係合可能な係合凹部を形成しても良い。
この場合、係合凸部と係合凹部とが互いに係合することによって、内容器が外装容器の中で相対的に回転することがなくなるので、外装容器の中に内容器を収容した状態で前記取出筒部に被着されている保護キャップを回転させて取り外すことができ、内容器の取り替え作業をさらに簡単に行うことができる。
さらに、内容器の周方向位置が固定されることになり、例えば内容器に描かれた図柄と外装容器や吐出ユニットに描かれた図柄とを合わせたり、外装容器を透明にして吐出口の開口方向に対して内容器に描かれた図柄の位置を合わせたりすることができ、この二重容器のデザイン性を向上させることができる。
【発明の効果】
【００１０】
本発明に係る二重容器によれば、取出筒部に吐出部を螺着させたり嵌合させたりする必要がなく、内容器の取り替え作業を容易に行うことができるとともに、取出筒部や吐出部を必要以上に精度良く成形する必要がなく、この二重容器を低コストで製造することができる。
【発明を実施するための最良の形態】
【００１１】
以下に、本発明の実施形態について添付した図面を参照にして説明する。図１から図４に、本発明の第１の実施形態である二重容器を示す。
本実施形態である二重容器は、上方に向けて開口した開口部を有する外装容器１０と、この外装容器１０の中に収容される内容器２０と、この内容器２０の内容物を外部へ吐出するための吐出ユニット３０とを有している。
【００１２】
外装容器１０は、軸線Ｌに沿って延びる有底円筒状をなしており、その上端部分は、外径が一段小径とされるとともに外周面に雄ネジが設けられた取付部１１とされている。この取付部１１の開口端には、軸線Ｌ方向から見て図４に示すように、大小２つの係合凹部１２が１８０°回転対称に配置されている。なお、この外装容器１０は、消費者が把持した際に容易に変形しないように比較的剛性が高くされている。
【００１３】
この外装容器１０の中に取り替え可能に収容される内容器２０は、上方に向けて開口する容器本体２１と、この容器本体２１の上端部に配置されるリング部２２とを備えている。なお、リング部２２の外径は、前記外装容器１０の取付部１１の内径と略同一に設定されている。
リング部２２には、その中心部分から軸線Ｍに沿って上方に向けて突出する取出筒部２３が設けられており、この取出筒部２３の外周面には雄ネジが形成されている。リング部２２の外周面には、径方向外側に向けて突出して前記取付部１１の開口端に設けられた係合凹部１２と係合可能な大小２つの係合凸部２４が１８０°回転対称に配置されている。
【００１４】
また、リング部２２の下面側には、下方に向けて環状に突出した接合筒２５が突設されており、この接合筒２５の外周面に、前記容器本体２１の内周面が接着又は溶着によって接合されている。
なお、本実施形態においては、容器本体２１は、アルミニウム製又は合成樹脂製のフィルム材を袋状に形成した薄肉容器であって、前記外装容器１０と比較して剛性が低いものである。
また、この内容器２０は、前記取出筒部２３の外周面に形成された雄ネジに保護キャップ（図示なし）が螺着された状態で保管、流通されるものである。
【００１５】
この内容器２０を外装容器１０の中に収容した状態においては、外装容器１０の係合凹部１２と内容器２０の係合凸部２４とが係合することによって、内容器２０は外装容器１０内に懸垂状態で固定される。ここで、外装容器１０の軸線Ｌと取出筒部２３の軸線Ｍとが一致するとともに取出筒部２３が外装容器１０の開口部よりも上方に向けて突出するように配置される。
【００１６】
吐出ユニット３０は、図３に示すように、軸線Ｎに沿って延びる多段円筒状をなすユニット本体３１に、前記内容器２０の内容物を外部へ吐出する吐出部としてのポンプ４０が固定されて構成されている。
ユニット本体３１の下部は、その内周面に前記取付部１１の外周面に設けられた雄ネジと螺合可能な雌ネジが設けられたキャップ部３２とされており、このキャップ部３２の中央部分には上方に向けて前記軸線Ｎに沿って延びる収容筒部３３が設けられている。
【００１７】
この収容筒部３３の上端には軸線Ｎに直交するように天板部３４が配置されていて、この天板部３４の軸線Ｎ近傍には装着孔が穿設され、天板部３４の上面には、上方に向けて環状に突出したガイド筒部３５が形成されている。
そして、この収容筒部３３の内径は、前記内容器２０の取出筒部２３の外径よりも大きくされるとともに、収容筒部３３の軸線Ｎ方向高さは、前記取出筒部２３の軸線Ｍ方向高さと略同一に設定されていて、この収容筒部３３の内部が取出筒部２３を収容する収容部３６とされている。
【００１８】
吐出部としてのポンプ４０は、ポンプ本体４１と、このポンプ本体４１の上側に上下動可能に配置されるとともに吐出口４２Ａを備えたポンプヘッド４２と、ポンプ本体４１から下方に向けて延びるパイプ部４３とを有している。また、ポンプ本体４１の上端部には、径方向外側に向けて張り出した鍔部４４が設けられている。なお、この鍔部４４の外径は、前記収容筒部３３の内径と略同一に設定されている。
【００１９】
このポンプ４０は、前記ポンプヘッド４２が収容筒部３３の装着孔から上方に向けて突出してガイド筒部３５の内周側に配置されるとともに、収容筒部３３の天板部３４に前記鍔部４４が密着させられた状態でユニット本体３１に固定される。このように固定されることで、このポンプ４０のパイプ部４３がユニット本体３１の軸線Ｎに沿って延びるように配置され、ポンプヘッド４２はガイド筒部３５に案内されて軸線Ｎ方向に移動するように構成される。また、鍔部４４の下面側、つまり、前記取出筒部２３の開口端に対向配置される部分には、リング状をなすパッキン４５が配設されている。
【００２０】
なお、本実施形態においては、収容筒部３３の下端側外周面に径方向外側に向けて膨出した係止部３７が形成されており、ポンプヘッド４２を保護するためのオーバーキャップ４６が、その下端部分を係止部３７に係合させることで固定されている。
【００２１】
次に、この二重容器において、内容物が充填されて保護キャップが螺着された内容器２０を取り付ける手順について説明する。まず、外装容器１０の開口部から内容器２０を挿入して、外装容器１０の取付部１１に形成された係合凹部１２と内容器２０のリング部２２に形成された係合凸部２４とを互いに係合させる。この状態で、取出筒部２３に被着された保護キャップを回動させて取り外し、内容器２０を開封する。
【００２２】
パイプ部４３が取出筒部２３を通して内容器２０の中に挿入されるとともに前記取出筒部２３が吐出ユニット３０の収容部３６に収容された状態で、ユニット本体３１の下側に設けられたキャップ部３２が外装容器１０の取付部１１に螺着される。そして、吐出ユニット３０をねじ込んでいくことで、前記取出筒部２３の開口端が鍔部４４の下面側に配置されたパッキン４５に強く密接させられる。
なお、この状態において、取出筒部２３の外周面と吐出ユニット３０の収容部３６の内周面との間には隙間が形成されている。
【００２３】
この構成の二重容器においては、オーバーキャップ４６を取り外してポンプヘッド４２を押圧することにより、内容器２０の内容物がパイプ部４３を通じて吸い上げられ、吐出口４２Ａから外部へ吐出されて使用される。ここで、内容器２０に形成された取出筒部２３の開口端がパッキン４５に強く密接させられていて内容器２０がシールされているので、内容器２０の内容物が漏れ出すことが防止されている。
【００２４】
本実施形態である二重容器によれば、吐出ユニット３０のユニット本体３１に外装容器１０の取付部１１に螺着されるキャップ部３２が形成されているので、このキャップ部３２を外装容器１０の取付部１１に螺着することで、ポンプ４０によって内容物を吐出する二重容器を構成することができ、内容器２０の取り替え作業を簡単に行うことができる。
さらに、取出筒部２３が吐出ユニット３０の収容部３６と隙間をあけて収容されているので、この吐出ユニット３０を外装容器１０の取付部１１に螺着させるために回動させる際に取出筒部２３と収容部３６との摩擦抵抗が生じることがなく、小さな力で吐出ユニット３０を回動させることができる。
また、内容器２０の取出筒部２３が吐出ユニット３０の収容部３６に収容される構成とされているので、前記取出筒部２３の外周面に嵌合させたり螺着させたりする部材がなく、この取出筒部２３や吐出ユニット３０を必要以上に精度良く成形する必要がなくなり、この二重容器を比較的低コストで製造することができる。
【００２５】
さらに、外装容器１０の取付部１１に係合凹部１２が形成され、内容器２０のリング部２２に係合凸部２４が形成されているので、これら係合凹部１２と係合凸部２４とを互いに係合させることで内容器２０が外装容器１０の中で相対的に回転することがなくなり、外装容器１０の中に内容器２０を収容した状態で取出筒部２３に被着されている保護キャップを回転させて取り外すことができる。したがって、薄肉容器とされた内容器２０の容器本体２１を把持して保護キャップを回転させる必要がなく、内容器２０の取り替え作業をさらに簡単に行うことができる。
【００２６】
次に、本発明の第２の実施形態について説明する。図５から図８に、本発明の第２の実施形態である二重容器を示す。なお、第１の実施形態と同一の部材には同一の符号を付して詳細な説明を省略する。
この第２の実施形態においては、前記吐出ユニット５０が、吐出部としてのポンプ４０と、外装容器７０に被着されるキャップ部５１とに分離可能に構成されていることを特徴としている。
【００２７】
外装容器７０の取付部７１に被着されるキャップ部５１は、図７に示すように軸線Ｎに沿って延びる多段円筒状をなし、軸線Ｎ方向下側が大径部５２とされていて、その内周面に径方向内側に向けて突出したガイド突起５３が形成されている。
また、この大径部５２の中心部分から軸線Ｎに沿って上方に向けて延びる小径部５４は、その外周面に雄ネジが形成されるとともに、外周面の下端部分に係止部５５が設けられている。
ここで、この小径部５４の内径は、前記内容器２０の取出筒部２３の外径よりも大きくされるとともに、小径部５４上端部の軸線Ｎ方向高さは、前記取出筒部２３の軸線Ｍ方向高さと略同一に設定されていて、この小径部５４の内部が取出筒部２３を収容する収容部５６とされている。
【００２８】
この小径部５４には、前記ポンプ４０を支持する支持キャップ６０が螺着される。支持キャップ６０は、円形をなす天板部６１とこの天板部６１の周縁から垂下される周壁部６２とを備えていて、周壁部６２の内周面に、前記小径部５４の外周面に形成された雄ネジと螺合可能な雌ネジが設けられている。また、天板部６１の中心部分には装着孔が穿設され、天板部６１の上面には、上方に向けて環状に突出したガイド筒部６３が形成されている。
【００２９】
ポンプ４０は、前記ポンプヘッド４２が前記支持キャップ６０の装着孔から上方に向けて突出されて前記ガイド筒部６３の内周側に配置されるとともに、天板部６１の下面に鍔部４４が密着させられた状態で支持キャップ６０に固定される。この鍔部４４の下面側には、リング状をなすパッキン４５が配設されている。
この支持キャップ６０を前記キャップ部５１の小径部５４に螺着させることで、吐出ユニット５０が構成される。ここで、ポンプ４０のパイプ部４３がキャップ部５１の軸線Ｎに沿って延びるように配置され、ポンプヘッド４２はガイド筒部６３に案内されて軸線Ｎ方向に移動する構成とされる。また、小径部５４の開口端は前記パッキン４５に強く密接させられている。
【００３０】
また、本実施形態における外装容器７０は、その取付部７１の外周面に、図８に示すように、軸線Ｌに沿って延びる縦溝７２Ａと周方向に延びる横溝７２Ｂとこれら縦溝７２Ａと横溝７２Ｂとの連通する傾斜溝７２Ｃとからなるガイド溝７２が形成されている。なお、横溝７２Ｂの末端部分には、横溝７２Ｂに挿入されたガイド突起５３が容易に回転することを防止するために、その溝幅を狭めた絞り部あるいは戻り防止の凸部が形成されている。また、取付部７１の開口端には、大小２つの係合凹部７３が１８０°回転対称に配置されている。
吐出ユニット５０のキャップ部５１に形成されたガイド突起５３を、外装容器７０の取付部７１に形成されたガイド溝７２に挿入して、縦溝７２Ａに沿って軸線Ｌ方向（軸線Ｎ方向）に移動させ、傾斜溝７２Ｃ及び横溝７２Ｂに沿って周方向に回転させることで、外装容器７０に吐出ユニット５０が被着され、本実施形態である二重容器が構成される。
【００３１】
そして、吐出ユニット５０の収容部５６に取出筒部２３が収容され、取出筒部２３の外周面と前記収容部５６の内周面との間には隙間が形成されている。なお、本実施形態においては、図５に示すように、取出筒部２３の上端部分が収容部５６の内周面と接しているが、取出筒部２３の外周面の大部分は収容部５６の内周面から離間させられている。したがって、この吐出ユニット５０を回動させる際に、取出筒部２３と収容部５６との摩擦抵抗が小さく抑えられ、小さな力で吐出ユニット５０を回動させることができる。
【００３２】
本実施形態である二重容器によれば、吐出部（ポンプ４０）がキャップ部５１と分離可能に構成されているので、内容物の使用方法に合わせて吐出部の構造や形状を変更することができる。また、パイプ部４３に詰まり等のトラブルが発生した場合に、このポンプ４０のみを交換して再使用することができ、この二重容器の使用コストを低減することができる。
【００３３】
以上、本発明の実施形態である二重容器について説明したが、本発明の技術的範囲はこれに限定されることはなく、本発明の技術的思想を逸脱しない範囲で変更可能である。
例えば、吐出部としてポンプを用いたもので説明したが、これに限定されることはなく、吐出口を有する吐出キャップを被着したものや内容物を噴霧するスプレーや櫛状物に泡を吐出するようなものであってもよい。
【００３４】
また、内容器、外装容器、吐出ユニットにそれぞれ図柄を描いてもよい。この場合、本実施形態のように係合凹部及び係合凸部を形成して内容器の周方向位置を固定することにより、これらの図柄の位置を合わせることが可能となり、この二重容器のデザイン性を向上させることができる。
【００３５】
さらに、内容器の容器本体をアルミニウム製又は合成樹脂製のフィルム材を袋状に形成したものとして説明したが、これに限定されることはなく、任意の材質、形状とすることができる。
また、外装容器についても有底円筒状をなすものとして説明したが、これに限定されることはなく、例えば底部を有さない筒状などの任意の形状・材質とすることができる。
【００３６】
また、外装容器に係合凹部を形成し、内容器に係合凸部を形成したものとして説明したが、逆に、外装容器に係合凸部を形成し、内容器に係合凹部を形成してもよいし、これら係合凸部及び係合凹部が形成されていなくてもよい。
また、第２の実施形態において、吐出部（ポンプ）とキャップ部とを螺着することで一体化したもので説明したが、これに限定されることはなく、アンダーカット結合によって分離可能に一体化したものであってもよい。
【００３７】
さらに、本実施形態では、取出筒部が外装容器の開口部から上方に突出するように配置されるものとして説明したが、これに限定されることはなく、取出筒部の上端が、開口部の上端と一致あるいは開口部の上端よりも下側に位置していてもよい。
【産業上の利用可能性】
【００３８】
内容器の取り替え作業を容易に行うことができるとともに、低コストで製造することができる二重容器を提供することができる。
【図面の簡単な説明】
【００３９】
【図１】本発明の第１の実施形態である二重容器の側面断面説明図である。
【図２】図１に示す二重容器に備えられた内容器と外装容器の側面断面図である。
【図３】図１に示す二重容器に備えられた吐出ユニットの側面断面説明図である。
【図４】図２に示す外装容器の上面図である。
【図５】本発明の第２の実施形態である二重容器の側面断面説明図である。
【図６】図５に示す二重容器に備えられた内容器と外装容器の側面断面図である。
【図７】図５に示す二重容器に備えられた吐出ユニットの側面断面説明図である。
【図８】図６におけるＸ方向矢視図である。
【符号の説明】
【００４０】
１０、７０  外装容器
１２、７３  係合凹部
２０  内容器
２３  取出筒部
２４  係合凸部
３０、５０  吐出ユニット
３２、５１  キャップ部
３６、５６  収容部
４０  ポンプ（吐出部）
【図１】
2008007160.tif 000003
【図２】
2008007160.tif 000004
【図３】
2008007160.tif 000005
【図４】
2008007160.tif 000006
【図５】
2008007160.tif 000007
【図６】
2008007160.tif 000008
【図７】
2008007160.tif 000009
【図８】
2008007160.tif 000010